(57)【要約】      （修正有）【課題】従来のオールインワンタイプのペット用衣服はサイズあわせが難しく、また、従来のパンツタイプの衣服はサスペンダーがペットにとって不快であるという欠点があった。本考案はペット用衣服、特に胴体覆い部とパンツ部とよりなるペット用衣服を提供する。【解決手段】本考案のペット用衣服は、両前足挿通部と首挿通部と胴前部挿通部とを有する胴体覆い部と、両後足挿通部と胴後部挿通部とを有するパンツ部と、上記胴体覆い部の胴前部挿通部に設けた一方の接続部と、上記パンツ部の胴後部挿通部に設けた、上記一方の接続部に着脱自在な他方の接続部とよりなる。【選択図】図１
0003120728.tif 000002
【実用新案登録請求の範囲】
【請求項１】
両前足挿通部と首挿通部と胴前部挿通部とを有する胴体覆い部と、両後足挿通部と胴後部挿通部とを有するパンツ部と、上記胴体覆い部の胴前部挿通部に設けた一方の接続部と、上記パンツ部の胴後部挿通部に設けた、上記一方の接続部に着脱自在な他方の接続部とよりなることを特徴とするペット用衣服。
【請求項２】
上記胴体覆い部と上記パンツ部に設けた上記接続部の少なくとも一方が選択使用可能な２以上の接続部素子より成ることを特徴とする請求項１記載のペット用衣服。
【請求項３】
上記パンツ部に尻尾挿通部を更に設けたことを特徴とする請求項１または２記載のペット用衣服。
【請求項４】
両前足挿通部と首挿通部と胴前部挿通部とを有する胴体覆い部と、両後足と胴後部を挿通するスカート部と、上記胴体覆い部の胴前部挿通部に設けた一方の接続部と、上記スカート部に設けた、上記一方の接続部に着脱自在な他方の接続部とよりなることを特徴とするペット用衣服。
【請求項５】
上記胴体覆い部と上記スカート部に設けた上記接続部の少なくとも一方が選択使用可能な２以上の接続部素子より成ることを特徴とする請求項４記載のペット用衣服。
【請求項６】
上記スカート部に尻尾挿通部を更に設けたことを特徴とする請求項４または５記載のペット用衣服。
【考案の詳細な説明】
【技術分野】
【０００１】
本考案はペット用衣服、特に胴体覆い部とパンツ部とよりなるペット用衣服に関するものである。
【背景技術】
【０００２】
冷暖房完備の環境の中で、人と一緒に共生する犬などのペットにとって衣服はファッションだけでなく寒さ対策、換毛期の抜け毛対策などに必要とされるアイテムである。
【０００３】
従来のペット用衣服としては、図５に示すように、両前足挿通部１と首挿通部２とを有する胴体覆い部３と、両後足挿通部４と尻尾挿通部５とを有するパンツ部６とがつながったオールインワンタイプの衣服や、図６に示すように、両後足挿通部４と尻尾挿通部５と胴後部挿通部７とを有するパンツ部６と、上記パンツ部６の胴後部挿通部７の縁部に設けたウエストベルト８と、上記ウエストベルト８に固定した、首に吊るして上記パンツ部６を腰に固定するサスペンダー９とよりなるパンツタイプの衣服がある。
【０００４】
上記のようなオールインワンタイプのペット用衣服としては、例えば特許文献１があり、パンツタイプのペット用衣服としては、例えば、特許文献２がある。
【特許文献１】特開２０００−２４５２８３号公報
【特許文献２】特開平９−１４０２８７号公報
【考案の開示】
【考案が解決しようとする課題】
【０００５】
然しながら、上記従来のオールインワンタイプの衣服は、ペットの個体差が大きく、胴と腰のサイズが異なる場合が多いので、衣服のサイズ合わせが難しい。また、一部が汚れ、その汚れが取れなくなってしまうと、全体として着用不可能となり不経済である。また、上記従来のパンツタイプの衣服はウエストベルトがオスの尿で汚れやすく、また、首にかけたサスペンダーはペットにとって不快であり、肌の弱いペットはかぶれてしまうという欠点があった。
【０００６】
本考案は前記の欠点を除くようにしたものである。
【課題を解決するための手段】
【０００７】
本考案のペット用衣服は、両前足挿通部と首挿通部と胴前部挿通部とを有する胴体覆い部と、両後足挿通部と胴後部挿通部とを有するパンツ部と、上記胴体覆い部の胴前部挿通部に設けた一方の接続部と、上記パンツ部の胴後部挿通部に設けた、上記一方の接続部に着脱自在な他方の接続部とよりなることを特徴とする。
【０００８】
また、本考案のペット用衣服は、上記胴体覆い部と上記パンツ部に設けた上記接続部の少なくとも一方が選択使用可能な２以上の接続部素子より成ることを特徴とする。
【０００９】
また、本考案の上記パンツ部に尻尾挿通部を更に設けたことを特徴とする。
【００１０】
また、本考案のペット用衣服は、両前足挿通部と首挿通部と胴前部挿通部とを有する胴体覆い部と、両後足と胴後部を挿通するスカート部と、上記胴体覆い部の胴前部挿通部に設けた一方の接続部と、上記スカート部に設けた、上記一方の接続部に着脱自在な他方の接続部とよりなることを特徴とする。
【００１１】
また、本考案のペット用衣服は、上記胴体覆い部と上記スカート部に設けた上記接続部の少なくとも一方が選択使用可能な２以上の接続部素子より成ることを特徴とする。
【００１２】
また、本考案の上記スカート部に尻尾挿通部を更に設けたことを特徴とする。
【考案の効果】
【００１３】
本考案のペット用衣服によれば、サスペンダーが不要の為、ペットへの負担がない。また、ウエストベルトが不要の為、オスの尿で汚れる事なく衛生的である。また、汚れたアイテムだけ洗濯し又買い替え可能な為衛生的、かつ経済的である。また、固体差が大きいペットでも上下異なるサイズの衣服を着せる事が可能となりえる。また、胴体覆い部又はパンツ部に複数の接続部を設け、選択して取り付け可能であるので、細かいサイズ調整をすることができる。また、あらゆるサイズの胴体覆い部とパンツ部とを組み合わせが可能となるので、ペットのファッションを楽しめるという大きな利益がある。
【考案を実施するための最良の形態】
【００１４】
以下図面によって本考案の実施例を説明する。
【実施例１】
【００１５】
本考案のペット用衣服は、図１〜図３に示すように、両前足挿通部１と首挿通部２と胴前部挿通部１０とを有する胴体覆い部３と、両後足挿通部４と尻尾挿通部５と胴後部挿通部７とを有するパンツ部６と、上記胴体覆い部３の胴前部挿通部１０の内側周縁部に沿って、例えば軸方向に２列に設けたスナップテープ、面ファスナー、ドット釦、釦、セッパ、ファスナー等の２つの接続部素子よりなる一方の接続部１１と、上記パンツ部６の胴後部挿通部７の外側周縁部に沿って設けた、上記一方の接続部１１に着脱自在な他方の接続部１２とよりなる。
【００１６】
本考案においては、ペットの胴体と腰の大きさにあう上記胴体覆い部３及び上記パンツ部６とをペットに着せ、上記胴体覆い部３の接続部１１の２つの接続部素子のいずれか一方と、上記他方の接続部１２とを接続せしめれば、ペットの体型にあったサイズの衣服をペットに簡単容易に着せることができるようになる。また、胴体覆い部に複数の接続部素子を設けたので、細かいサイズ調整をすることができるようになる。
【００１７】
また、あらゆるサイズの胴体覆い部とパンツ部とを組み合わせることができるので、ペットの衣服のファッションを楽しめる。
【００１８】
また、サスペンダーが不要の為、ペットへの負担がない。また、ウエストベルトが不要の為、オスの尿で汚れる事なく衛生的である。また、汚れたアイテムだけ洗濯し又買い替え可能な為衛生的、かつ経済的である。また、固体差が大きいペットでも上下異なるサイズの衣服を着せる事が可能となりえる。
【００１９】
また、上記胴体覆い部３に設ける接続部１１の接続部素子は２段以外に１段でも、また３段以上であってもよい。また、上記パンツ部１１に選択可能な複数の接続部素子を設けてもよい。
【００２０】
また、上記パンツ部６の尻尾挿通部５を省略せしめてもよい。
【００２１】
また、上記パンツ部６の代わりに図４に示すように、両後足と胴後部を挿通するスカート部１３を用いてもよく、また、このスカート部１３に尻尾挿通部を設けてもよい。
【図面の簡単な説明】
【００２２】
【図１】本考案のペット用衣服の説明用平面図である。
【図２】本考案のペット用衣服をペットに着せた状態を示す説明用側面図である。
【図３】本考案のペット用衣服の胴体覆い部の一部の説明用斜視図である。
【図４】本考案の他のペット用衣服のスカート部の実施例の説明用平面図である。
【図５】従来のペット用衣服をペットに着せた状態を示す説明用側面図である。
【図６】従来の他のペット用衣服をペットに着せた状態を示す説明用側面図である。
【符号の説明】
【００２３】
１  前足挿通部
２  首挿通部
３  胴体覆い部
４  後足挿通部
５  尻尾挿通部
６  パンツ部
７  胴後部挿通部
８  ウエストベルト
９  サスペンダー
１０  胴前部挿通部
１１  一方の接続部
１２  他方の接続部
１３  スカート部
【図１】
0003120728.tif 000003
【図２】
0003120728.tif 000004
【図３】
0003120728.tif 000005
【図４】
0003120728.tif 000006
【図５】
0003120728.tif 000007
【図６】
0003120728.tif 000008